(57)【特許請求の範囲】
【請求項１】
第１のコードデータが予め付された配送物を移送する適宜な移送経路と、
前記第１のコードデータに対応する第２のコードデータと、前記配送物の配送先住所や配送宛名からなる配送データと、配送先単位毎に配送物を区分するための配送物区分コードとをあらかじめ記憶する配送データファイル記憶手段と、
前記移送経路に沿って、配送物に付された前記第１のコードデータを読み取る第１のコード読み取り手段と、
読み取った前記第１のコードデータに対応する前記第２のコードデータ、配送データ及び配送物区分コードを前記配送データファイル記憶手段から検索し、該第２のコードデータ、配送データ及び配送物区分コードをプリントアウトして配送票を発行する配送票発行手段と、
発行された配送票を貼付する配送票貼付手段と、
前記配送票貼付手段にて配送物に貼付された配送票にプリントアウトされた前記第２のコードデータと当該配送物に付された前記第１のコードデータとを読み取る第２のコード読み取り手段と、
前記第２のコード読み取り手段にて読み取られた前記第１のコードデータと前記第２のコードデータとが不一致であった場合に、当該配送物を抜き出すリジェクト手段とを有することを特徴とする配送票発行貼付システム。
【請求項２】
第１のコードデータと、前記第１のコードデータに対応する第２のコードデータ、前記配送物の配送先住所や配送宛名からなる配送先データ及び配送先単位毎に配送物を区分するための配送物区分コードが含まれた二次元コードデータとが予め付された配送物を移送する適宜な移送経路と、
前記移送経路に沿って、前記配送物に予め付された二次元コードデータを読み取る二次元コード読み取り手段と、
前記二次元コードデータをコード変換するためのプログラムデータを記憶する記憶手段と、
前記二次元コード読み取り手段にて読み取られた前記二次元コードデータを、前記記憶手段に記憶されたプログラムデータによって、前記第２のコードデータ、配送先データ及び配送物区分コードに変換し、該第２のコードデータ、配送先データ及び配送物区分コードをプリントアウトして配送票を発行する配送票発行手段と、
前記配送票発行手段にて発行された配送票を前記配送物に貼付する配送票貼付手段とを有することを特徴とする配送票発行貼付システム。
【請求項３】
前記配送票貼付手段にて配送物に貼付された配送票にプリントアウトされた前記第２のコードデータと当該配送物に付された前記第１のコードデータとを読み取る第２のコード読み取り手段と、
前記第２のコード読み取り手段にて読み取られた前記第１のコードデータと前記第２のコードデータとが不一致であった場合に、当該配送物を抜き出すリジェクト手段とを有することを特徴とする請求項２に記載の配送票発行貼付システム。
【請求項４】
配送物に付すコードデータと前記配送物の配送先住所や配送宛名からなる配送先データと配送先単位毎に配送物を区分するための配送物区分コードとが含まれた二次元コードデータを読み取る二次元コード読み取り手段と、
前記二次元コード読み取り手段にて読み取られた前記二次元コードデータを、前記コードデータ、配送先データ及び配送物区分コードに変換し、該コードデータ、配送先データ及び配送物区分コードをプリントアウトして配送票を発行する配送票発行手段と、
前記配送票発行手段にて発行された配送票を前記配送物に貼付する配送票貼付手段とを有することを特徴とする配送票発行貼付システム。
【発明の詳細な説明】
【０００１】
【産業上の利用分野】
本発明は、郵便配達や宅配業務等において配送物を物流経路に沿って移送するに際して必要な配達証、宅配票等の配送票を発行するとともに、この配送票を配送物に貼付する配送票発行貼付システムに関するものである。
【０００２】
【従来の技術】
従来、郵便配達や宅配業務等で配送物を配送するには、書留で使用される配達証や宅配業で使用される宅配票等の配送票を作成し、配送物に添付して配送処理を行っている。この配送票には、配送先及び発送人などの配送情報とともに配送物受取人が記載、又は、受け取り印用の押印欄を有し、その配送票を持ち帰ることによって配送者が配送処理を完了したことが確認でき確実な配送の管理ができる。また、この配送票の作成にあたっては、配送物の配送先住所、配送先宛名、配送先電話番号、配送物、発送人住所、発送人名称（氏名）、発送人電話番号及び配送先の取扱い郵便局コードや宅配業者の着店コード等の情報を手書きにより行っていた。
【０００３】
【発明が解決しようとする課題】
そのため、多量に配送物があると、これら配送票の作成に大変な手間がかかるばかりか、配送仕分け作業も大変な費用と労力を必要とする。この配送仕分け作業は、従来は、郵便配達においては、郵便番号を自動で読み取り、区分を行うものが知られているが、手書きのものは、読み取りミスが多く、また、郵便番号が単に機械印字されたものも、配送票発行貼付処理ラインに採用する場合、郵便番号の表示形態が窓開き封書からの表示であったり、印字精度や規格が一定していないので、それら郵便番号の読み取りから区分作業を行うことは、確実ではなかった。この発明は、配送票発行処理ラインに採用し、配送先単位毎に配送物を区分処理を確実に行えるようなシステムに適した配送票発行貼付システムを提供することを目的とするものである。
【０００４】
【課題を解決するための手段】
上記目的を解決するため本発明の配送票発行貼付システムは、
第１のコードデータが予め付された配送物を移送する適宜な移送経路と、
前記第１のコードデータに対応する第２のコードデータと、前記配送物の配送先住所や配送宛名からなる配送データと、配送先単位毎に配送物を区分するための配送物区分コードとをあらかじめ記憶する配送データファイル記憶手段と、
前記移送経路に沿って、配送物に付された前記第１のコードデータを読み取る第１のコード読み取り手段と、
読み取った前記第１のコードデータに対応する前記第２のコードデータ、配送データ及び配送物区分コードを前記配送データファイル記憶手段から検索し、該第２のコードデータ、配送データ及び配送物区分コードをプリントアウトして配送票を発行する配送票発行手段と、
発行された配送票を貼付する配送票貼付手段と、
前記配送票貼付手段にて配送物に貼付された配送票にプリントアウトされた前記第２のコードデータと当該配送物に付された前記第１のコードデータとを読み取る第２のコード読み取り手段と、
前記第２のコード読み取り手段にて読み取られた前記第１のコードデータと前記第２のコードデータとが不一致であった場合に、当該配送物を抜き出すリジェクト手段とを有してなるものである。
【０００５】
または、第１のコードデータと、前記第１のコードデータに対応する第２のコードデータ、前記配送物の配送先住所や配送宛名からなる配送先データ及び配送先単位毎に配送物を区分するための配送物区分コードが含まれた二次元コードデータとが予め付された配送物を移送する適宜な移送経路と、
前記移送経路に沿って、前記配送物に予め付された二次元コードデータを読み取る二次元コード読み取り手段と、
前記二次元コードデータをコード変換するためのプログラムデータを記憶する記憶手段と、
前記二次元コード読み取り手段にて読み取られた前記二次元コードデータを、前記記憶手段に記憶されたプログラムデータによって、前記第２のコードデータ、配送先データ及び配送物区分コードに変換し、該第２のコードデータ、配送先データ及び配送物区分コードをプリントアウトして配送票を発行する配送票発行手段と、
前記配送票発行手段にて発行された配送票を前記配送物に貼付する配送票貼付手段とを有してなるものである。
または、前記配送票貼付手段にて配送物に貼付された配送票にプリントアウトされた前記第２のコードデータと当該配送物に付された前記第１のコードデータとを読み取る第２のコード読み取り手段と、
前記第２のコード読み取り手段にて読み取られた前記第１のコードデータと前記第２のコードデータとが不一致であった場合に、当該配送物を抜き出すリジェクト手段とを有してなるものである。
【０００６】
さらに、配送物に付すコードデータと前記配送物の配送先住所や配送宛名からなる配送先データと配送先単位毎に配送物を区分するための配送物区分コードとが含まれた二次元コードデータを読み取る二次元コード読み取り手段と、
前記二次元コード読み取り手段にて読み取られた前記二次元コードデータを、前記コードデータ、配送先データ及び配送物区分コードに変換し、該コードデータ、配送先データ及び配送物区分コードをプリントアウトして配送票を発行する配送票発行手段と、
前記配送票発行手段にて発行された配送票を前記配送物に貼付する配送票貼付手段とを有してなることによって、好適なシステムを提供する。
【０００７】
【作用】
配送物に貼付される配送票の所定位置に配送物区分コードがプリントアウトされるので配送票発行貼付処理ライン上で、配送物区分コードを確実に読み取ることができ、配送票が貼付された配送物の処理ラインの後段に配送物区分手段を設けた場合も、読み取った配送物区分コードに従って、確実に配送物を配送先単位に区分することができる。
【０００８】
【発明の実施形態】
以下、本発明を好適な実施例に基づいて詳細に説明する。図１は、本発明の配送票発行貼付システムの概略説明図であって、図２は、図１に示した配送票発行貼付システムで処理する配送物の内包物として取扱われるカードとカード配送台紙の展開状態の表面説明図、また図３は、図１に示した配送票発行貼付システムで処理する図２の内包物を封入した封筒の表面説明図で、図４は、図３の封筒の裏面説明図、図５は、図４の封筒の裏面に配送票を貼付した平面説明図、図６は、図１の配送票発行貼付装置の処理フロー説明図である。
【０００９】
配送票発行貼付システム１の説明に先だって、図２の内包物となるカードＣとこのカードＣを固定するカード台紙３４を説明する。このカード台紙３４は、カードＣの送り状を兼ねる物であって、あらかじめ配送先住所、氏名やアラビア数字のコードデータ３２やこのコードデータ３２に対応するバーコードデータＢ１が印字されている。カードＣは、カード台紙３４に設けられた２つの切り込み３５にエッジが挿入されて固定されている。
【００１０】
このカード台紙３４とカードＣからなる内包物は、２つの折り線３８でジグザグに折りたたまれ、図３で示される封筒に封入された配送物ａとされる。次に、この封筒を図３、図４にしたがって説明すると、表面側（図３）に、配送物ａ（封筒）に設けられた窓３６からコードデータ３２、バーコードデータＢ１、および配送宛先情報３１としての住所、氏名が表出されている。図４は、封筒裏面側で封緘用舌片３３を有している。
【００１１】
図１は、封書が書留郵便で送付する際に使用される配送票としての書留郵便配達証を発行貼付および配送先単位毎に区分する配送票発行貼付システムの実施例を示す図である。図１に示すように配送票発行貼付システム１は、一つずつ供給部２１から供給される配送物（封筒）ａを一方向（図上、左から右）に移送して配送物区分手段２５へ送り出すコンベヤベルトよりなる移送手段２と、配送物個々に特定されたバーコードとして表されたバーコードデータＢ１を、前記移送手段２上の上流側で読み取り、対応する配送票を発行する配送票発行装置３と、前記配送票発行装置３で発行された配送票１６（書留郵便配達証）（図５参照）を配送物ａに対して、移送手段２上において貼り付ける配送票貼付装置４とからなるものである。
【００１２】
前記配送票発行装置３は、給送部２１より配送物ａが一通づつ供給され、配送物ａのバーコードデータＢ１をバーコードリーダー６により、上流側で配送物ａから読み取ってその情報を制御部５に送る。そして、制御部５からの制御により作動する二組のプリンタ７ａ、７ｂが配置されている。前記配送票貼付装置４は、制御部５の制御下で、粘着手段を有した配送票が剥離可能に並び設けられている支持帯８を前記配送票発行装置３のプリンタ７ａ、７ｂのヘッド面を通過するように送り出し、移送手段２上を経て巻き取る一対のロール部９と、移送手段２上を移動する封筒ａに向けて順次配送票を支持帯８から分離させて貼り付けるガイド部１０ａ、１０ｂとから構成されている。
【００１３】
なお、前記制御部５には、予め配送物ａに対して付されたコードデータＢ１と、このコードデータＢ１に対応する配送先住所、氏名および配送先単位毎に配送物を区分するための配送物区分コード等の配送データとが配送データファイルＤより供給される。そして、それを記憶する記憶部１１、全装置の動作状態などを制御部５の制御の下で表示する表示部１２、手動操作指示などの外部入力情報を制御部５に与える入力部１３がそれぞれ接続されている。
【００１４】
そして、上記配送票発行装置３の動作状態にあっては、移送手段２で移送されてくる配送物ａのコードデータをバーコードリーダ６で読み取り、記憶部１１から、前記配送物ａのコードデータに対応する配送先住所、氏名および区分コード等としての配送データを検索して、得られた配送データが、配送票貼付装置４における支持帯８の配送票にプリントアウトされ、そして、配送票貼付装置４で、プリントアウトされた配送票が移送手段２側で分離される時点で、予め配送物ａに対して付されたコードデータＢ１が読み取られた配送物ａに対応したコードデータＢ２および区分コード１７付きの配送票１６が貼付されるようになっている。尚、６ａ、６ｂ、６ｃは、配送物ａに貼付された配送票１６のコードデータＢ２、Ｂ２と予め配送物ａに対して付されていたコードデータＢ１の照合用のバーコードリーダであり、６ｄは、後段の配送物区分手段２５が区分を行うためのバーコードリーダーである。
【００１５】
一方、これら配送物ａは、発送前に発送を取り止める場合や、別ルートで配送する場合等があり、配送票発行貼付システム１での処理の過程で抜き出すために指定する配送物ａのコードデータを入力部１３から入力し、そのデータは、指定配送物記憶部１４に登録できるようになっている。指定配送物のデータ入力は、アラビア数字で入力部１３から入力するか、必要により別のバーコードリーダ等で入力してもよい。
【００１６】
バーコードリーダ６ａ、６ｂ、６ｃ、６ｄの後段には、指定した配送物ａをストックするピックアップボックス２３と、予め配送物ａに対して付されたコードデータＢ１がバーコードリーダー６で読み取りができなかった場合や、バーコードリーダ６ａ、６ｂ、６ｃで配送物ａに貼付された配送票１６のコードデータＢ２と予め配送物ａに対して付されていたコードデータＢ１の照合がとれなかったものを抜き出すリジェクトボックス２４が設けられている。
【００１７】
ピックアップボックス２３には、バーコードリーダ６または、バーコードリーダ６ａ、６ｂ、６ｃのいずれが指定配送物記憶部１４に登録されているコードデータを読み取った場合には、制御部５の制御の下で対象となる配送物ａを抜き出す抜き取り駆動装置１２１が設けられピックアップ手段を構成する。また、リジェクトボックス２４にも、バーコードリーダー６で読み取りできないコードデータＢ１、または、バーコードリーダ６ａ、６ｂ、６ｃでの照合不良の場合に制御部５の制御の下で対象となる配送物ａを抜き出す抜き取り駆動装置１２２が設けられリジェクト手段を構成する。
【００１８】
図５は、配送票１６が封書本体と封緘された封緘舌片３３の堺を覆う位置に貼付した例であって、図５に示されているように配送票１６は、配送票１６の裏面に粘着剤が塗布されているとともに、更にその下に剥離可能にして透明フィルムが接合され、その透明フィルムの裏面に粘着剤が塗布されていて、配達票１６に各種配達情報が上述のようにして出力された後、各裏面の粘着剤を介して配送物ａに貼り合わされることになる。なお、図中右側の配送票１６は配送過程において配送物ａから分離され郵便局が控えとするものである。
【００１９】
配送物区分手段２５は、配送票に出力された区分コード１７を読み取ったバーコードリーダー６ｄの区分信号を制御部５を経由して、配送物区分手段２５の制御部２６が受けて、所定の配送先単位で区分を行うものであるが、複数の区分ボックス２７へ、従来公知の区分手段で区分を行うものである。この実施例における配送先単位は、郵便業務の場合、所定単位の郵便番号別の区分を行うものであるが、宅配業務に採用する場合は、配送業者の着店コード別に区分されるものである。これら区分単位の設定は、配送データファイルＤの区分コードファイルを業務に応じて、あるいは、区分システムに応じて変更することにより行える。
【００２０】
図６は配送票１６を発行貼付する際の作業の流れを示している。まず、個々にコードデータが特定されている配送物ａが供給され（ステップ１０１）、供給されてきた配送物からコードデータＢ１を読み取り（ステップ１０２）、次に配送物の配送データを検索する工程（ステップ１０３）に移行することになる。検索結果として、コードデータＢ１が読み取れなかった場合は、読み取りエラーであるが結果的に配送票配は発行されないので後述するステップ１０６で配送物ａのコードデータＢ１と前記配送票に出力されたコードデータＢ２照合により（配送データが得られなかったものも含めて）不一致として、エラー（ＮＧ）でリジェクト処理され、リジェクトボックス２４に回収される（ステップ１０７）。
【００２１】
配送データが検索され、その配送データを出力動作させる指令が発せられると、前記指令により配送データを配送票１６に出力し（ステップ１０４）、その配送票１６を配送物ａに貼付する工程に移行する（ステップ１０５）。
【００２２】
そして、ステップ１０５を経た配送物ａのコードデータＢ１と前記配送票に出力されたコードデータＢ２とを読み取って比較する段階（ステップ１０６）となり、この段階で不一致（ＮＧ）である場合には、制御部５の制御の下で抜き取り駆動装置１２２を駆動し配送物ａを抜き出しリジェクト処理される（ステップ１０７）。
【００２３】
一方、ステップ１０６で一致（ＯＫ）となった配送物に関しては次工程に移送することになる。次工程では、指定配送物記憶部１４に登録されているコードデータを読み取った場合には（ステップ１０８）、制御部５の制御の下で抜き取り駆動装置１２１を駆動し配送物ａを抜き出しピックアップ処理されピックアップボックス２４に回収される（ステップ１０９）。
【００２４】
ステップ１０８で、指定配送物記憶部１４に登録されていないコードデータを読み取った場合には、バーコードリーダー６ｄが区分コードを読み取り（ステップ１１０）、後段の配送物区分手段２５へ送り出され郵便番号別に区分け処理されながらそれぞれの区分ボックス２７へスタック処理される（ステップ１１１）。尚、ステップ１１０で区分コードが読み取れなかった場合も、リジェクト処理され配送物は、リジェクトボックス２４に回収される。
【００２５】
上記実施例において、カード台紙３４に配送先住所や氏名および配送先単位毎の区分データに対応するバーコードデータＢ１に代えて二次元バーコードＢＣを設けてもよい。この二次元バーコードＢＣは、バーコードデータＢ１のように配送先住所や氏名および配送先単位毎の区分データを引き出す場合、配送データファイル１１を検索して得るのではなく、二次元バーコードＢＣ自体に記憶されているものである。したがって、配送票発行システム１は、配送データファイル１１に代えて、このコードデータに基づいて、対応する前記配送データを出力するプログラムデータが記憶された記憶手段となり、コード読み取り手段６が、記憶手段１１に記憶されたプログラムによって、読み取った二次元バーコードＢＣを対応する配送先データに変換するものである。この場合、配送物区分コードを含んで変換されるようになっている。
【００２６】
図７で示される実施例の場合、配送票に付すバーコードＢ２に対応するデータも二次元バーコードＢＣに記憶されていて、二次元バーコードＢＣを読み取ることにより変換されてバーコードＢ２を出力できるもので、バーコードＢ２に対応するバーコードＢ１が、あらかじめ台紙３４には、示されてないが、台紙３４に配送宛先情報３１、二次元バーコードＢＣが印字されるときに同時に印字されるものであってもよい。
【００２７】
また、配送物ａは封筒形態のものが示されていて、内部の書面などにバーコード形態で記載されたコードデータＢ１が窓から表示されるものであるが、これに限定されるものではなく、外表面に直接コードデータが記載されていてもよい。また、この配送物ａはある程度の厚さを有するものであってもよく、封筒に限定されるものではない。
【００２８】
【発明の効果】
以上説明したように、本発明の配送票発行貼付システムは、配送物に貼付される配送票の所定位置に配送物区分コードがプリントアウトされるので配送票発行貼付処理ライン上で、配送物区分コードを確実に読み取ることができ、配送票が貼付された配送物の処理ラインの後段に配送物区分手段を設けた場合も、読み取った配送物区分コードに従って、確実に配送物を配送先単位に区分することができ配送処理作業が極めて迅速に効率よく処理できる等、実用性に優れた効果を奏するものである。
【図面の簡単な説明】
【図１】本発明の配送票発行貼付システムの一実施例を概略的に示す説明図。
【図２】配送物における内包物の展開状態を示す表面説明図。
【図３】配送物の表面側を示す説明図。
【図４】配送物の裏面側を示す説明図。
【図５】配送物の裏面側に配送票を貼付した状態を示す説明図。
【図６】本発発明の配送票発行貼付方法の一実施例をフロー図で概略的に示す説明図。
【図７】本発発明の配送物における他の実施例を示す内包物の展開状態を示す表面説明図。
【符号の説明】
１…配送票発行貼付システム
２…移送手段
３…配送票発行装置
４…配送票貼付装置
５…制御部
６、６ａ、６ｂ、６ｃ、６ｄ…バーコードリーダ
７ａ、７ｂ…プリンタ
１１…記憶部
１２…表示部
１３  入力部
１４…指定配送物記憶部
３７…リジェクト
ａ…配送物
Ｂ１、Ｂ２…コードデータ
ＢＣ…二次元バーコードデータ
【図１】
0003665670.tif 000002
【図２】
0003665670.tif 000003
【図３】
0003665670.tif 000004
【図４】
0003665670.tif 000005
【図５】
0003665670.tif 000006
【図６】
0003665670.tif 000007
【図７】
0003665670.tif 000008